(57)【要約】【課題】  脈釣りでは、釣り人が餌（釣針）を上下させ、魚にアピールしている。釣り人の負担はかなりのものとなる。  一方、浮き釣りの場合には、餌（釣針）の上下動作は行わないが、浮き下深さは固定され、魚が通りかかるのを待つしかない。  竿の上下操作をしなくても、任意に設定した水中深度範囲で針または魚を集めるコマセ撤き容器等の集魚具を自動浮沈させることができる安価な釣用仕掛け装置を得る。【解決手段】  釣り竿等から繰り出された道糸に、補助浮きまたは中間錘と、その下に気体捕捉装置を設け、さらにその下に水中にて気体を放出する気体発生装置、そして魚を釣るための針または魚を集めるコマセ撒き容器等の集魚具を連結して設ける。【選択図】  図１
2005027628.tif 000002
【特許請求の範囲】
【請求項１】
釣り竿等から繰り出される道糸に接続される装置であって、補助浮きと、その下に気体捕捉装置を設け、さらにその下に気体発生装置、そして魚を釣るための針または魚を集めるコマセ撒き容器等の集魚具を連結して設けたことを特徴とする釣用仕掛け装置。
【請求項２】
釣り竿等から繰り出される道糸に接続される装置であって、中間錘と、その下に所定長さをおいて気体捕捉装置を設け、さらにその下に気体発生装置、そして魚を釣るための針または魚を集めるコマセ撒き容器等の集魚具を連結して設けたことを特徴とする釣用仕掛け装置。
【請求項３】
釣り竿等から繰り出される道糸に接続される装置であって、中間錘と、その下に所定長さをおいて補助浮きを設け、その下に気体捕捉装置を設け、さらにその下に気体発生装置、そして魚を釣るための針または魚を集めるコマセ撒き容器等の集魚具を連結して設けたことを特徴とする釣用仕掛け装置。
【請求項４】
請求項１において釣り竿等と補助浮きとの間の道糸に、請求項２，３において釣り竿等と中間錘のとの間の道糸に、それぞれメイン浮きを設けることを特徴とする釣用仕掛け装置。
【発明の詳細な説明】
【技術分野】
【０００１】  本発明は、釣餌（釣針）あるいはコマセ撒き容器等の集魚具を、所定の水中深度範囲で自動的に浮沈させることにより、釣果向上のための広範囲な棚探りと、魚へのアピールを行い、釣り人の負担を軽減するとともに釣果向上を狙う釣用仕掛け装置に関する。
【背景技術】
【０００２】  所定の水中深度範囲で、釣餌（釣針）やコマセ撒き容器等の集魚具等を自動的に上昇下降させる装置は、機能的には電動リールを用いる方法が考えられる。【０００３】  しかし、電動リールは高価、比較的大きな電気パワーが必要、さらに運転音が大きい、さらには竿先真下での釣りに限られることなどから、船釣りにおいてのみ可能性がある。
脈釣り、浮き釣りが主である岸壁釣りに向く装置は無かった。
【発明の開示】
【発明が解決しようとする課題】
【０００４】  釣りは、どんな釣りでも魚の居る場所（棚＝深さ）に仕掛けを投入し、魚に餌（釣針）、コマセ等をアピール出きるか否かで、釣果に差が出る。浮き釣り、脈釣り等の岸壁釣りにおける釣果向上のポイントは、魚の居る棚（＝深さ）での餌（釣針）、コマセ等の魚へのアピールにある。脈釣りでは、釣り人が検討をつけた深さの範囲で餌（釣針）を上下させ、魚にアピールしている。釣り人の負担はかなりのものとなる。また上下動の範囲は、竿先の上下の範囲であり数メートルの範囲に留まる。
一方、浮き釣りの場合には、餌（釣針）の上下動作は行わないので、釣り人への負担は少ないが、浮き下深さは固定され、魚が通りかかるのを待つしかない。したがって、釣果はなかなか上がらない。【０００５】  本発明は、釣人が竿の上下操作をしなくても、任意に設定した水中深度範囲で餌（釣針）あるいはコマセ撒き容器等の集魚具を自動浮沈（上下に移動）させることができる安価な釣用仕掛け装置を提供することを目的とする。
【課題を解決するための手段】
【０００６】  上記目的を達成するために、本発明の釣用仕掛け装置は、釣り竿等から繰り出された道糸に、補助浮きまたは中間錘と、その下に気体捕捉装置を設け、さらにその下に水中にて気体を放出する気体発生装置、そして魚を釣るための針または魚を集めるコマセ撒き容器等の集魚具を連結して設けた。
【発明の効果】
【０００７】  本発明による仕掛け装置は、任意に設定した水中深度範囲で、針または魚を集めるコマセ撒き容器等の集魚具などを自動浮沈（上下に移動）させることを可能とする。
すなわち、魚の居る棚（＝深さ）で、餌（釣針）コマセ等を浮沈させ、魚にアピールする。「めばる」や「黒鯛」釣りで、生餌（ゴカイ、小エビ、小魚など）を使う場合には、あたかも生餌が泳ぎ回っているような状況になる。さらに浮釣りに使うと浮き釣りなのに、餌（釣針）コマセ等を浮沈させることが可能になる。すなわち岸壁から離れたところで脈釣りができる。
またコマセ撒き容器を吊るせば、籠は上昇時、および下降時に緩やかな速度による少しづつのコマセの放出を行う。この放出は狙った深さで行うため、餌取りの居ない本命の居るところで重点的にコマセを撒くことができる。
また集魚具として、水中集魚灯を用いることも可能であり、灯りが水中で浮沈を繰り返すので、コマセ同様に集魚効果が期待できる。
【発明を実施するための最良の形態】
【０００８】  本発明の釣用仕掛け装置は、釣り竿等から繰り出された道糸に、補助浮きまたは中間錘と、その下に気体捕捉装置を設け、さらにその下に水中にて気体を放出する気体発生装置、そして魚を釣るための針または魚を集めるコマセ撒き容器等の集魚具を連結して設けた。そしてこの構成により、気体発生装置からの放出気体を気体捕捉装置が捕捉収納し、その気体溜めに貯まった気体の浮力にて装置を水中で上昇させ、水面あるいはあらかじめ設定した深さに到達した時、気体捕捉装置の自立姿勢を倒し、気体溜めに貯まった気体を放出させる。釣用仕掛け装置は、浮力の消滅により装置自重により沈下する。気体発生装置からの気体放出が続く限り水中で浮沈を繰り返す。
【実施例１】
【０００９】  図１は本発明の第一の実施例である。
水面には釣竿（図示せず）に道糸１５で繋がるメイン浮き１があり、これが水中における装置全体を支えている。水面下には、上昇下降量を設定する長さの道糸１５ａを介して、仕掛け装置が垂下されている。メイン浮き１の下部には補助浮き２、気体捕捉装置３、気体発生装置４、錘６が配置される。通常、この錘６の下に餌１０をつけた釣針９が直接あるいはハリス（糸）等で接続される。【００１０】  図２は気体捕捉装置３の構造の１例を示すもので、金属線のような剛体で構成されたロッド７と、これに固着した例えば薄肉円錐状に成形された気体溜め８から構成されている。また、ロッド７の上部には道糸１５を結びつけるための環７ａがあり、下部には気体発生装置４を接続するための同様な環７ｂがある。
なお、この気体捕捉装置３における環７ａ、７ｂの位置と気体溜め８に溜まった気体による浮力中心の位置関係は、環７ａに対しては補助浮き２による浮力が作用し（水面にあるときには作用力はなくなる）、環７ｂに対しては気体発生装置４および錘６等の水中重さが作用する。水中におけるこれらの力バランスから、水中にあるときは気体捕捉装置３が垂直に立ち、水面に至った時は速やかに倒れるような位置関係に、それぞれの位置を設定する。もちろん、気体溜め８の容積は、気体の体積が水深（水圧）により変化することも考慮して定める。すなわち、水深１０ｍから水面に浮上すると、容積は２倍になるという事実から、上記気体溜め８の容積を定め、水面までバランスが崩れないように、各部の位置関係を定めるのは言うまでも無い。【００１１】  なお、気体溜め８の形状として単純な円錐形状で説明をしたが、図３に他の形状例を示す。（ａ）のような気体を放出しやすい形状にしたり、（ｂ）のような気体を放出し難い形状にすること、さらに三角錐、四角錐、そして多角錐も可能なことはいうまでもない。【００１２】  図４は、気体発生装置を構成する液化気体ボンベとボンベホルダーを示す。（ａ）には、液化気体ボンベとして最適な、使い捨てライター１１を示す。
なお、使い捨てライター以外には、液化気体を収納した本格的なボンベ装置や固化した気体例えばドライアイス、さらに水にふれると気化する物質等を用いることが可能である。（ｂ）には、使い捨てライターに最適なボンベホルダー５を示す。
ボンベホルダー５は金属製のケース構造で、アーム片５ｃ、５ｄが付属している。これに使い捨てライター１１をレバー１１ａを押し下げて装着すると、使い捨てライター１１は図５に示すように両側のアーム片５ｃ、５ｄで抱え込まれて、しっかりとセットされ、気体発生装置４となる。レバー１１ａは上板５ｅで押されているので封入されている液化気体を気体として連続放出する。放出量は、ライター側の調整で任意に設定できる。使い捨てライターを用いる場合には、装着前に着火すれば、炎から放出量の確認ができる。ボンベホルダー５の上下には気体捕捉装置３のロッド７と同様な接続用の環５ａ，５ｂを取り付けてある。【００１３】  次に本発明装置の具体的な作用を浮き釣りを例にとって、図６〜図８において説明する。これらの図は、図１の装置における、気体の捕捉収納による浮沈動作の状態を示す。
メイン浮き１の下には、上から補助浮き２、気体捕捉装置３、気体発生装置４が接続されている。その下には、錘６、餌１０を付けた釣り針９が配置される。
錘６は、気体捕捉装置３の浮力と、補助浮き２から餌１０に至る総重量との関係を調整する。すなわち、この６の重さを増加させると、沈み込み速度を早くすることができる。また、気体発生装置４が重い場合には不要となるのは言うまでもない。また、気体発生装置４は液化気体の放出により重さは減ってくるので沈み込み速度が遅くなってくる。その分を錘６で増加させることで、一定の浮沈速度で浮沈させることが可能となる。
なお錘６を気体発生装置４の下に設けているが、気体捕捉装置３の下に直接あるいはハリスで接続しても良い。このような構成の本装置を水中に投げ込むと、水面に着水後直ちに装置自重により沈み込み、図６のように水中で各部がほぼ垂直に配置される。【００１４】  そして気体発生装置４からは気体が放出されているので、この気体が気体捕捉装置３の気体溜め８に溜まり、気体捕捉装置３、気体発生装置４、錘６、餌１０を付けた釣り針９は、図７の様に水中を上昇する。ここで補助浮き２は気体捕捉装置３の垂直姿勢を保つ働きをしている。【００１５】  図８に示すように、補助浮き２が水面に達すると、その浮力は、気体捕捉装置３を垂直姿勢に保つ作用が無くなり、気体捕捉装置３の垂直姿勢が崩れて気体溜め８の気体を一気に放出する。すると、気体捕捉装置３の浮力が消滅し、装置は沈下して図６の状態に戻る。このような動作を繰り返して、図６に示すようにメイン浮き１と気体捕捉装置３との間の距離Ｌ１にほぼ等しい範囲を、自動的に上下浮沈する。
【実施例２】
【００１６】  図９および図１０において、補助浮き２の上部に中間錘１２を使った第２の実施例を説明する。この例では補助浮き２が水面まで到達しなくとも、図１０のように、中間錘１２にて装置の上昇が妨げられ、気体捕捉装置３が倒れると、気体溜め８の気体が水中で放出され、前記と同様に浮沈を繰り返す。この場合には、距離Ｌ２の間で自動的に上下浮沈する。この例では、水面での波立ちの影響を避けることが出来る。
なお、後述の図１１の実施例において明らかなように、気体捕捉装置３の設計によっては、補助浮き２は、必ずしも必要としない。
【実施例３】
【００１７】  図１１は、竿先からの道糸１５に直接本仕掛け装置を接続した第３の実施例である。
竿は竿立て（図示せず）にセットされている。
この場合には中間錘１２の位置（深さ）は、道糸１５の繰り出し量で任意にセットされる。装置は竿先の真下で自動浮沈を繰り返す。釣り人はのんびりと竿先の変化を見ていれば良い。道糸１５の先端には、中間錘１２、気体捕捉装置３、気体発生装置４、錘６、餌１０を付けた釣り針９が配置される。
この場合には、気体捕捉装置３において、ロッド７を長めに製作し、補助浮き無しで水中での自立を可能する。すなわち、環７ｂはその位置を、気体溜め８から下に向かって長くしている。このように、気体捕捉装置３のロッド７の位置調整により、気体捕捉装置３は、水中にて自立する。気体が気体捕捉装置３の気体溜め８に溜まって上昇できる浮力を得ると、気体捕捉装置３を最上位置として水中を上昇する。そして気体捕捉装置３は、中間錘１２により、後述の図１２の２点鎖線で示す部分と同様に、環７ａを引かれて自立が崩されて横転し、気体溜め８の気体は放出される。
そして浮力を失った仕掛け装置は再沈下する。
【実施例４】
【００１８】  第４の実施例として、コマセ撒き容器によるコマセ撒きについて説明する。コマセも、魚の居る場所（棚＝深さ）で撒けば少ない量で効果が得られる。また上昇下降動作は、コマセの適度な放出に役立ち、魚を効率よく集めることができる。
前記図１１の実施例において、釣餌の代わりにコマセ撒き容器を吊るせば良い。岸壁などで、この装置を潮流の上流位置にセットし、コマセが流れてくる下流側で釣ることにより、コマセに集まった魚群を相手に効率よく釣ることができる。【００１９】  狙い場所が、岸壁から離れている場合には、浮きを用いた方式とし、例えば、図１２に示すように、釣りの場合と同じく、道糸１５の先端に、メイン浮き１、中間錘１２、気体捕捉装置３、気体発生装置４、そして４の下にはコマセ１６を入れたコマセ撒き容器１３を吊るしてある。自動浮沈の動作は図１１と同じく、気体捕捉容器３の上昇により、コマセ撒き容器が２点鎖線１３Ａで示す位置に上昇し、そこで中間錘１２にて上の環７ａの上昇が７ａＡのように妨げられ、気体捕捉装置３は自立が崩れて２点差線で示す３Ａのように横転し、気体溜め８Ａの気体は放出される。そして浮力を失った仕掛け装置は再沈下する。そして気体捕捉装置３での気体の捕捉収納と共に再上昇し、本装置は、気体がなくなるまで浮沈動作を繰り返す。この例では、水深Ｈにおいて、深さの幅Ｌｗの範囲でコマセ１６を撒くことができる。なお、コマセ撒き容器１３はプラスチック製、金属製など多くの種類があり、材質の比重により、水中での重さが違う。
水中で重い金属製のコマセ撤き容器を用いる場合には、重さに打ち勝つ浮力を発生できる大きな容積の気体溜め８を有する気体捕捉装置３を用いても良いが、１回の上昇に多量の気体を要し、また１サイクルの時間も長くなる。このような場合には、図９および図１０のように、補助浮き２を浮力補助として用いれば、小型の気体捕捉装置３を用いることができるので、効率の良い自動浮沈を行うことができる。
【図面の簡単な説明】
【００２０】
【図１】本発明の第一実施例で、静止状態を示す。
【図２】気体捕捉装置の断面図を示す。
【図３】気体捕捉装置の他の形状例を示す．（ａ）は、気体を放出しやすい形状の例（ｂ）は、気体を放出し難い形状の例を示す。
【図４】気体発生装置に使われる構成要素を示す。（ａ）は、液化気体ボンベに用いる、使い捨てガスライターを示す。（ｂ）は、ボンベホルダーの例を示す。
【図５】気体発生装置を示す。
【図６】図１の装置における、気体の捕捉収納状態図である。
【図７】図１の装置における、上昇動作状態図である。
【図８】図１の装置における、水面到達時の気体放出状態図である。
【図９】本発明の第２の実施例を示す（静止状態図）。
【図１０】図９の装置の気体放出状態図である。
【図１１】本発明の第３の実施例を示す（静止状態図）。
【図１２】本発明の第４の実施例であるコマセ撒き装置の例である。
【符号の説明】
【００２１】        １    メイン浮き
２    補助浮き
３    気体捕捉装置
４    気体発生装置
５    ボンベホルダー
５ａ、５ｂ  環
６    錘
７    ロッド
７ａ、７ｂ、  環
８    気体溜め
９    釣り針
１０    餌
１１    液化気体ボンベ：使い捨てライター
１１ａ  液化気体放出レバー
１２    中間錘
１３    コマセ撒き容器
１４    釣り竿
１５、１５ａ  道糸
１６    コマセ
【図１】
2005027628.tif 000003
【図２】
2005027628.tif 000004
【図３】
2005027628.tif 000005
【図４】
2005027628.tif 000006
【図５】
2005027628.tif 000007
【図６】
2005027628.tif 000008
【図７】
2005027628.tif 000009
【図８】
2005027628.tif 000010
【図９】
2005027628.tif 000011
【図１０】
2005027628.tif 000012
【図１１】
2005027628.tif 000013
【図１２】
2005027628.tif 000014